(57)【要約】【課題】片手だけでワンタッチで安全に伸縮でき、特に片麻痺の人に好適な伸縮自在ステッキを提供するものである。【解決手段】下部側に向かって内径が縮小するテーパー状に形成された上部中空パイプ２Ａと中間中空パイプ２Ｂ、下部中空パイプ２Ｃとを連結して伸縮自在に組合わせ、上部の中空パイプ２Ａの上端に連通する貫通孔６を開口し、この開口部にストッパー７を設けたグリップ５を接続すると共に、下部の中空パイプ２Ｃの下端にシャフト部３を介して石突き４を設け、複数個の珠９を連結紐１２で数珠状に連結して、これを中空パイプ２Ａ、２Ｂ、２Ｃ内に収納して、その下端をシャフト部３の上端に連結し、連結紐１２の上端を貫通孔６に貫通させてグリップ５に連結したものである。【選択図】図１
2015116348.tif 000002
【特許請求の範囲】
【請求項１】
下部側に向かって内径が縮小するテーパー状に形成された複数本の中空パイプを連結して伸縮自在に組合わせ、上部の中空パイプの上端に、この中空パイプに連通する貫通孔を開口し、この開口部にストッパーを設けたグリップを接続すると共に、下部の中空パイプの下端にシャフト部を介して石突きを設け、複数個の珠を連結紐で数珠状に連結して、これを連結した中空パイプ内に収納して、その下端をシャフト部の上端または下部の中空パイプに連結し、連結紐の上端を貫通孔に貫通させてグリップに連結したことを特徴とする伸縮自在ステッキ。
【請求項２】
シャフト部を、間隔をおいて開孔した複数の嵌合孔を形成した外側パイプと、前記嵌合孔の何れか１つに出没自在に嵌合する突起部を設けた内側パイプとで伸縮自在の二重パイプで形成したことを特徴とする請求項１記載の伸縮自在ステッキ。
【請求項３】
連結紐で数珠状に連結した珠を、木またはプラスチック、ガラス、真珠の何れか１種または複数種で形成されていることを特徴とする請求項１記載の伸縮自在ステッキ。
【請求項４】
珠を数珠状に連結する連結紐にストッパーが係合する係止凸部を形成したことを特徴とする請求項１記載の伸縮自在ステッキ。
【発明の詳細な説明】
【技術分野】
【０００１】
本発明は、片手のみで伸縮調整ができる伸縮自在ステッキに関するものである。
【背景技術】
【０００２】
歩行が不安定な高齢者やしょうがい者が歩行時にステッキを使用している。このステッキには種々の構造のものが市販され、棒状の軸部の上端にグリップをＴ形に取付けた構造のものが一般的である。更に使用者の手の高さに合わせて高さ調整のアジャスターを設けたステッキ（特許文献１）もある。また病院などに行って玄関の壁に立て掛けておいたり、診察の間に壁に立て掛けておいたりすることがあるが、特に整形外科ではステッキを使用する患者が多く、間違ったり紛失したりすることがある。
【０００３】
このために折り畳んで小さくして、バッグなどに入れられるようにしたステッキもある。これは中空パイプ状の複数の部分軸部材を一直線状に連結して一本の軸を構成するようにして、これらの端部同士を互いに脱着自在とすると共に、複数の部分軸部材の内部にゴム紐を通して連結し、折り畳んだ状態で複数に分離し、小さくしてからバッグに入れることができる。またバッグから取り出すと、ゴム紐の弾性により一本の棒状になって、組立てが容易な伸縮自在ステッキ（特許文献２）もある。
【０００４】
しかしながら、この伸縮自在ステッキは分離して小さくする時や、バッグから取り出す時に、両手を使用しなければならず、またバッグから取り出す時にゴム紐の弾性により複数の部分軸部材が同時に広がるため危険であり、特に片麻痺の人は片手だけで伸縮調整ができない欠点があった。
【先行技術文献】
【特許文献】
【０００５】
【特許文献１】特開２００４−３４４４５４号公報
【特許文献２】実用新案登録第３０７７９７３号公報
【発明の概要】
【発明が解決しようとする課題】
【０００６】
本発明は上記問題を改善し、片手だけでワンタッチで安全に伸縮でき、特に片麻痺の人に好適な伸縮自在ステッキを提供するものである。
【課題を解決するための手段】
【０００７】
本発明の請求項１記載の伸縮自在ステッキは、下部側に向かって内径が縮小するテーパー状に形成された複数本の中空パイプを連結して伸縮自在に組合わせ、上部の中空パイプの上端に、この中空パイプに連通する貫通孔を開口し、この開口部にストッパーを設けたグリップを接続すると共に、下部の中空パイプの下端にシャフト部を介して石突きを設け、複数個の珠を連結紐で数珠状に連結して、これを連結した中空パイプ内に収納して、その下端をシャフト部の上端または下部の中空パイプに連結し、連結紐の上端を貫通孔に貫通させてグリップに連結したことを特徴とするものである。
【０００８】
本発明の請求項２記載の伸縮自在ステッキは、請求項１において、シャフト部を、間隔をおいて開孔した複数の嵌合孔を形成した外側パイプと、前記嵌合孔の何れか１つに出没自在に嵌合する突起部を設けた内側パイプとで伸縮自在の二重パイプで形成したことを特徴とするものである。
【０００９】
本発明の請求項３記載の伸縮自在ステッキは、請求項１において、連結紐で数珠状に連結した珠を、木またはプラスチック、ガラス、真珠の何れか１種または複数種で形成されていることを特徴とするものである。
【００１０】
本発明の請求項４記載の伸縮自在ステッキは、請求項１において、珠を数珠状に連結する連結紐にストッパーが係合する係止凸部を形成したことを特徴とするものである。
【発明の効果】
【００１１】
本発明に係る請求項１記載の伸縮自在ステッキによれば、グリップを片手で握って、ストッパーを開放すると、複数の中空パイプや数珠状に連結された珠の自重により、下段側の中空パイプから順次下降して伸びて、最上部の珠が貫通孔内に入ったら、ストッパーで貫通孔を塞ぐと、内部に数珠状に詰まった珠は、上部がストッパーで頭を押えられた状態となり、硬い１本の棒状となり大きな荷重や衝撃にも耐えることができる。また伸縮自在ステッキを収縮させる時には、ストッパーにより通し孔を開孔し、グリップを片手に握ったまま押し下げて行くと、数珠状に連結された珠の下部がシャフト部により押し上げられて、貫通孔から押し出され、複数の中空パイプが重なった状態となって収縮するので、片手だけでワンタッチで伸縮でき、組立や収納が容易で、片麻痺の人でも安全に使用することができる。
【００１２】
また請求項２記載の伸縮自在ステッキによれば、突起部を指で押して押し縮めた状態で内側パイプを上下動させ、使用者のグリップを握る最適な手の高さになった位置の嵌合孔に嵌合させることによりステッキの長さを予め調整することができる。
【００１３】
また請求項３記載の伸縮自在ステッキによれば、木またはプラスチック、ガラス、真珠の何れか１種または複数種で形成されて、また着色したものを用いることによりファッション性を持たせることができる。
【００１４】
また請求項４記載の伸縮自在ステッキによれば、珠を数珠状に連結する連結紐にストッパーが係合する係止凸部を形成したので、中空パイプが使用者の最適な手の高さに伸びた時に、ストッパーを回動させて上下の珠の間に割り込ませると共に、連結紐の凹凸部を係止凸部に係止させることにより固定され、長さ調整可能な伸縮自在ステッキとして使用することができる。
【発明を実施するための最良の形態】
【００１５】
以下本発明の実施の一形態を図１ないし図４を参照して詳細に説明する。図において１は伸縮自在ステッキを示すもので、２Ａは上部中空パイプ、２Ｂは中間中空パイプ、２Ｃは下部中空パイプで、これらは下部側に向かって内径が縮小するテーパー状に形成されて釣り竿と同様な構造になっている。３本の中空パイプ２Ａ、２Ｂ、２Ｃは、１本になった状態では、上部中空パイプ２Ａの下部内側に、中間中空パイプ２Ｂの上部が重なって挿入され、この下部内側に、下部中空パイプ２Ｃの上部が重なって挿入され、下部中空パイプ２Ｃの下部はシャフト部３の上端に接続され、更にシャフト部３の下部に、ゴムなどの滑り止めの弾性材で形成された石突き４が取付けられている。
【００１６】
また上部中空パイプ２Ａの上端にグリップ５がＴ形に接続され、この上部中空パイプ２Ａの上部がグリップ５に挿着されて貫通孔６となっている。更にグリップ５の貫通孔６の横には図３に示すように左右に回動するストッパー７が設けられている。
【００１７】
９は木材で球状に形成された珠で、この中央部に図４に示すように上下に貫通する通し孔１０が開孔されている。この通し孔１０に釣り糸で形成された連結紐１２を通して数珠状に連結されている。この連結紐１２の上端は貫通孔６から引出されてグリップ５の側面に接続され、また下端はシャフト部３の上端に接続されている。この場合、上部中空パイプ２Ａに挿入される珠９は、中間中空パイプ２Ｂと下部中空パイプ２Ｃに挿入される珠９より外径が僅かに大きく、中空パイプ２Ａ、２Ｂの内壁面との間に隙間を設けて円滑に通過できるようになっている。
【００１８】
上記構成の伸縮自在ステッキを使用する時は、先ず図２に示す収縮している状態から、グリップ５を片手で握って、その上面に取付けたストッパー７を回動させて通し孔１０を開放すると、下部中空パイプ２Ｃとこの内側の数珠状に連結された球状の珠９とシャフト部３、石突き４の自重により下降し始める。この結果、外部に出ていた珠９が貫通孔６から内部に引き込まれ、中間中空パイプ２Ｂ、上部中空パイプ２Ａの順に珠９の自重により順次伸びていく。この場合、珠９と中空パイプ２Ａ、２Ｂの内壁面との間に隙間があるので滑らかに下降して伸びていく。
【００１９】
最上部の珠９が貫通孔６内に入ったら図１に示すように、ストッパー７を回動させて貫通孔６を塞ぐ。このようにして伸縮自在ステッキ１のグリップ５を片手で握ったまま床１３の上について歩くと、上部中空パイプ２Ａと中間中空パイプ２Ｂ、下部中空パイプ２Ｃの内部に数珠状に詰まった球状の珠９は、上部がストッパー７で頭を押えられた状態となり、硬い１本の棒状になる。また上部中空パイプ２Ａの下部内側と中間中空パイプ２Ｂの上部、この下部内側と下部中空パイプ２Ｃの上部が重なっているので、この重なり部分の強度が高く、大きな荷重や衝撃にも耐えることができる。
【００２０】
また伸縮自在ステッキ１を収縮させる時には、図２に示すように、ストッパー７を回動させて貫通孔６の開口部を解放し、グリップ５を片手に握ったまま押し下げて行くと、数珠状に連結された珠９の下部がシャフト部３により押し上げられて、貫通孔６から押出され、中空パイプ２Ａ、２Ｂ、２Ｃが重なった状態となって収縮する。このように伸縮自在ステッキ１を短くしてバッグに入れたり、数珠状に連結された珠９がループ状になっているので、ここに片手を通して手に提げたり、壁に取付けたフックに掛けることもできる。このように片手だけでワンタッチで伸縮できるので片麻痺の人でも安全に使用でき、収納も容易である。
【００２１】
図５は本発明の他の実施の形態を示すもので、連結紐１２の上部側の５〜１０ｃｍ程度の範囲で間隔をおいて複数の結び目１５を形成し、ここを係止凸部１６としたものである。この結び目１５の外径は球状の珠９の通し孔１０の内径より小さく形成されている。
【００２２】
上記構成の伸縮自在ステッキは、収縮している状態から、グリップ５を片手で握って、その上面に取付けたストッパー７を回動させて貫通孔６を開放すると、上部中空パイプ２Ａと中間中空パイプ２Ｂ、下部中空パイプ２Ｃ、およびこの内側の数珠状に連結された球９、シャフト部３、石突き４の自重により、図１に示すように下部中空パイプ２Ｃ、中間中空パイプ２Ｂ、上部中空パイプ２Ａの順に伸びていく。
【００２３】
この時、石突き４を床１３に当て、使用者のグリップ５を握る最適な手の高さになった時に、ストッパー７を回動させて上下の球９の間に割り込ませ、連結紐１２に結び目１５で形成した係止凸部１６の下に係止させる。この状態で上部の球９が固定されると共に連結紐１２も固定され、長さが調整された伸縮自在ステッキ１として使用することができる。この場合、上部の球９だけを固定しても、連結紐１２に係止凸部１６がないと、連結紐１２が上下動して下部中空パイプ２Ｃががたついて不安定になるからである。
【００２４】
図６は本発明の更に異なる他の実施の形態を示すもので、連結紐１２として凹凸部１８を形成したプラスチック紐を用い、使用者の最適な手の高さに伸びた時に、ストッパー７を回動させて上下の球状の珠９の間に割り込ませると共に、連結紐１２の係止凸部１６に係止させると固定され、長さが調整された伸縮自在ステッキ１として使用することができる。
【００２５】
図７は本発明の異なる他の実施の形態を示すもので、グリップ５の内側に上部中空パイプ２Ａの上部と連通する貫通孔６を湾曲させて形成し、この開孔端部をグリップ５の側面に形成し、この横にコ字型のストッパー７を上下に回動自在に取付けたものである。この伸縮自在ステッキ１はグリップ５に取付けたコ字型のストッパー７を上方に回動させることによりグリップ５の前面から珠９を排出することができる。
【００２６】
図８は本発明の異なる他の実施の形態を示すもので、シャフト部３を外側パイプ１９と内側パイプ２０とで伸縮自在の二重パイプで形成したものである。この外側パイプ１９には上下方向に沿って間隔をおいて複数の嵌合孔２１が開孔され、また内側パイプ２０には前記嵌合孔２１の何れか１つに出没自在に嵌合する突起部２２を設けたものである。
【００２７】
上記構造の伸縮自在ステッキ１は、突起部２２を指で押して縮めた状態で内側パイプ２０を上下動させ、使用者のグリップ５を握る最適な手の高さになった位置の嵌合孔２１に嵌合させることにより長さを予め調整することができる。
【００２８】
図９は本発明の異なる他の実施の形態を示すもので、貫通孔６を塞ぐストッパー７としてスライド式のものを用いたものである。
【００２９】
また上記説明では珠９を木製の球体を用いた場合について示したが着色したカラフルなプラスチックやガラス、または真珠の何れか１種または複数種を混合して用いて、ファッション性を持たせても良い。
【００３０】
図１０（Ａ）は本発明の異なる他の実施の形態を示すもので、珠９として俵状に形成したもので、同図（Ｂ）は菱形状に形成した珠９で、同図（Ｃ）はダルマ状に形成した珠９でも良い。                                                
【００３１】
また上記説明では珠９を貫通孔６から排出してループ状になる場合について示したがリールを取付けて巻き取る構造にしても良い。また上部中空パイプ２Ａと中間中空パイプ２Ｂ、下部中空パイプ２Ｃの３本の中空パイプを用いた場合について示したが、２本または４本以上組合せた構造でも良い。また下部中空パイプ２Ｃの内部の珠９は移動しないので中空パイプの代わりに丸棒状の部材を用いても良く、またシャフト部３を下部の中空パイプに挿着した構造でも良い。この場合、連結紐１２の下端は丸棒状の部材やシャフト部３の上端に接続しても、下部の中空パイプの下部に接続しても良い。更に連結紐１２は釣り糸に限らず、可撓性と強度のあるワイヤーを用いても良い。
【図面の簡単な説明】
【００３２】
【図１】本発明の実施の一形態による伸縮自在ステッキの伸びた状態を示す断面図である。
【図２】図１の伸縮自在ステッキの収縮させた状態を示す断面図である。
【図３】図１の伸縮自在ステッキのグリップに設けたストッパーを示す平面図である。
【図４】図２のグリップ部を拡大して示す断面図である。
【図５】本発明の異なる実施の形態によるグリップ部を拡大して示す断面図である。
【図６】本発明の他の実施の形態によるグリップ部を拡大して示す断面図である。
【図７】本発明の他の実施の形態によるグリップ部を拡大して示す断面図である。
【図８】本発明の他の実施の形態による伸縮自在ステッキの長さを調整可能にしたシャフト部を示す断面図である。
【図９】他の実施の形態によるスライド式のストッパーを示す斜視図である。
【図１０】（Ａ）、（Ｂ）、（Ｃ）は異なる形状の珠を示す正面図である。
【符号の説明】
【００３３】
１    伸縮自在ステッキ                                      
２Ａ  上部中空パイプ                                        
２Ｂ  中間中空パイプ                                        
２Ｃ  下部中空パイプ                                        
３    シャフト部                                            
４    石突き                                                
５    グリップ                                              
６    貫通孔                                                
７    ストッパー                                            
９    珠                                                    
１０  通し孔                                                
１２  連結紐                                                
１３  床                                                    
１５  結び目                                                
１６  係止凸部                                              
１８  凹凸部                                                
１９  外側パイプ                                            
２０  内側パイプ                                            
２１  嵌合孔                                                
２２  突起部                                                
【図１】
2015116348.tif 000003
【図２】
2015116348.tif 000004
【図３】
2015116348.tif 000005
【図４】
2015116348.tif 000006
【図５】
2015116348.tif 000007
【図６】
2015116348.tif 000008
【図７】
2015116348.tif 000009
【図８】
2015116348.tif 000010
【図９】
2015116348.tif 000011
【図１０】
2015116348.tif 000012